(57)【特許請求の範囲】
【請求項１】
ハンドルの回転操作により連動回転する巻き取り駆動機構を介してスプ−ルに釣糸を巻回する魚釣用リ−ルにおいて、前記スプ−ルに巻回されている釣糸を放出可能状態に切換える切換部材をリ−ル本体の所望部位に変位可能に設け、該切換部材に前記スプ−ルの前方側に向けて操作部を形成し、該操作部に釣糸を挿通案内する案内部を設けて釣糸放出操作時に手の指を釣糸に接触して放出具合をコントロ−ル可能としたことを特徴とする魚釣用リ−ル。
【発明の詳細な説明】
【０００１】
【発明の属する技術分野】
本発明は、釣糸が巻回されるスプ−ルからの釣糸放出操作性の向上を図るようにした魚釣用リ−ルの改良に関する。
【０００２】
【従来の技術】
例えば、ボ−トからの釣りに必須のキャスト法として、ピッチングが知られており、この釣法は、飛距離よりもスポットに正確なキャストが要求される場合に有効であり、ロッドを狙い場所に向けて竿先を下げた下段の構えをとり、そして、ロッドを上に跳ね上がるようにしながら、ルア−を放してキャストする方法であり、飛距離を出すのは難しいが、コントロ−ル性に優れている。
キャスト時、仕掛（ルア−）をピンポイントへ投入する場合に、微妙な飛距離の調節を行うために釣人は、例えばスピニングリ−ルの場合は、スプ−ルからスパイラル状に放出される釣糸に直接、指を接触させて糸放出抵抗の加減調節を行って対応しているが、スプ−ルの前方へ放出される釣糸へはスプ−ル１周につき１回しか指接触によるブレ−キング操作が行えないので、放出距離の微調節が難しくて正確なポイントへの仕掛け投入性に劣り、釣果に影響する。
【０００３】
クロ−ズドフェ−スリ−ル（覆面型リ−ル）の場合は、リ−ル本体後部に設けたプッシュボタンを押したり、或は、実開昭５８−１５２８７５号公報に見られるように、リ−ル本体の前方に設けたレバ−の牽引操作等で釣糸を係止した後に係止を解除し、釣糸（仕掛け）を所定のポイントへ放出するものでスプ−ルをクロ−ズドする構成でもあることにより、レバ−を引いてロ−タとフロントカバ−との間で釣糸を挾持してブレ−キ操作することになり、放出距離の微調節が難しくて正確なポイントへの仕掛け投入性に劣ると共に、レバ−を引き過ぎて釣糸を切断してしまったり等の課題がある。
【０００４】
【発明が解決しようとする課題】
解決しようとする問題点は、放出操作時の釣糸放出距離の微調節が難しく、正確なポイントへの仕掛け投入性に劣ることである。
【０００５】
本発明の目的は前記欠点に鑑み、放出される釣糸に手の指を接触して放出具合をコントロ−ル可能にして正確なポイントへの仕掛け投入性が得られる魚釣用リ−ルを提供することである。
【０００６】
【課題を解決するための手段】
上記課題を解決するために、
請求項１に係わる本発明は、ハンドルの回転操作により連動回転する巻き取り駆動機構を介してスプ−ルに釣糸を巻回する魚釣用リ−ルにおいて、前記スプ−ルに巻回されている釣糸を放出可能状態に切換える切換部材をリ−ル本体の所望部位に変位可能に設け、該切換部材に前記スプ−ルの前方側に向けて操作部を形成し、該操作部に釣糸を挿通案内する案内部を設けて釣糸放出操作時に手の指を釣糸に接触して放出具合をコントロ−ル可能としたことを要旨とするものである。
【０００７】
【発明の実施の形態】
請求項１の本発明により、スプ−ル３、３′から放出されて収束案内される釣糸１８を放出操作時に保持した手の指で容易に接触操作できるから、所定のポイントへ向けて放出された釣糸１８に対して容易にブレ−キ操作できるので、一連の釣り操作中で放出距離の微調節が確実に行えて微妙なキャスティング操作性が向上し、良好な釣果も得られる。
又、釣糸巻取り操作時（待機時）においても直接釣糸１８に触れられるため、微妙な魚信のキャッチも可能となる。
第１案内部１６と第２案内部１７に釣糸１８が挿通されていると、釣糸放出時の釣糸変動の少ない案内部間において指先で接触操作できるので、安定した微妙なブレ−キ操作が行える。
【０００８】
更に、切換部材４の作動部４ｃで他方のベ−ル支持部材２１を釣糸放出位置から釣糸巻取位置に反転させることが出来る。
切換部材４′の押動部４ｅで回転軸８の軸部８ｃ後端を押圧することでスプ―ル３′に巻回された釣糸１８を自由に繰り出したり、釣糸１８をガ−ド部材４２とフロントカバ―５の内側に挾み込んで繰り出しを係止することができる。
【０００９】
【実施例】
以下、図示の実施例によって本発明を説明すると、図１から図６は第１実施例で魚釣用リ−ルを魚釣用スピニングリ−ルで述べると、図１は釣糸の放出が指でコントロ−ルされる魚釣用スピニングリ−ルの一側一部破截断面側面図と一部拡大断面側面図、図２は魚釣用スピニングリ−ルの他側側面図、図３は切換部材の要部正面図、図４はロ−タの一方の支持腕の一部断面平面図、図５は釣糸巻き上げ状態のロ−タの他方の支持腕の（ａ）一部断面平面図と（ｂ）一部断面背面図、図６は釣糸放出状態のロ−タの他方の支持腕の（ａ）一部断面平面図と（ｂ）一部断面背面図である。
【００１０】
魚釣用スピニングリ−ルＡはリ−ル本体１の前側にロ−タ２が回転自在に図示しない中空軸筒に取り付けられている。
ロ−タ２の前側にはスプ−ル３が図示しないスプ−ル軸に取り付けられている。
ロ−タ２は図示しない中空軸筒に形成されたピニオンと図示しない駆動歯車を介してハンドル１０の回転に連動して回転され、スプ−ル３は図示しない前後往復動機構を介して前後に往復動される。
リ−ル本体１の上側に釣竿１１に取り付ける脚部１ａが突出形成され、その基部１ｂの前側に凹部１ｃが形成されると共にリ−ル本体１の側部に蓋板１２がビス１３で固定されている。
凹部１ｃの中に切換部材４の軸承部４ａと発条１４が内装されて基部１ｂに軸承されたネジ筒軸１５で切換部材４が回動操作可能に軸承されている。
【００１１】
切換部材４はネジ筒軸１５が軸承される軸承部４ａと、前方に突出延設されて釣竿１１を握った手の指で牽引自在に配置された操作部４ｂで形成されている。
切換部材４の軸承部４ａ側の側部下側に作動部４ｃが下方に向けて突出されている。
操作部４ｂの下面には釣糸ガイド環からなる第１案内部１６と第２案内部１７が前後方向に固定され、第１案内部１６と第２案内部１７の間に深い凹部からなる糸当て部４ｄが形成されている。
第１案内部１６と第２案内部１７は夫々うず巻き状に形成されている。
第１案内部１６はスプ−ル３から放出された釣糸１８を収束させ、第２案内部１７はその釣糸１８を安定させる。
【００１２】
ロ−タ２は中心筒部が図示しない中空軸筒に取り付けられ、大径の筒部２ａと大径の筒部２ａの基部２ｂ、２ｃの外周から前方に向けて突出された一対の支持腕２ｄ、２ｅとで形成されている。
一対のベ−ル支持腕２ｄ、２ｅの先端部外側に一方のベ−ル支持部材１９がビス２０で他方のベ−ル支持部材２１がビス２２で釣糸巻取位置と釣糸放出位置に反転自在に軸承されている。
一方のベ−ル支持腕２ｄ内にはデットポイントバネ２３が設けられてベ−ル支持腕２ｄと一方のベ−ル支持部材１９に張設されている。
他方のベ−ル支持部材２１には釣糸案内ロ−ラ２４の取付部２５が取り付けられている。
一方のベ−ル支持部材１９と取付部２５の間にベ−ル２６が取り付けられている。
【００１３】
切換部材４の作動部４ｃの下端は、一対の支持腕２ｄ、２ｅの回転範囲の幾分外側に位置し、他方のベ−ル支持部材２１が図６の釣糸放出位置にある時、切換部材４の操作部４ｂが釣竿１１を握った手の指で牽引されると、作動部４ｃで他方のベ−ル支持部材２１が釣糸巻取位置に反転される。
尚、他方のベ−ル支持部材２１が釣糸放出状態に反転されると図６の釣糸放出位置にあるように構成され、この構成機構は実公昭５５−３６０６３号公報等で公知である。
【００１４】
前記魚釣用スピニングリ−ルのキャスト動作では、一対のベ−ル支持部材１９、２１が釣糸放出位置に反転された状態で、スプ−ル３に巻回された釣糸１８が切換部材４の釣糸ガイド環からなる第１案内部１６と第２案内部１７に挿通された状態で釣竿１１を握った手の指が第１案内部１６と第２案内部１７の間の釣糸１８に当接されて釣糸１８が放出される。
手の指が釣糸１８に当接された状態で釣糸１８が放出されると、所定のポイントへ向けて放出された釣糸１８に対してブレ−キ操作できる。
【００１５】
前記魚釣用スピニングリ−ルの他の動作は、図１のように他方のベ−ル支持部材２１が釣糸巻取位置で釣糸１８がスプ−ル３に巻回される方向にハンドル１５が回転されると、ロ−タ２が回転される。
前記図１の一方のベ−ル支持部材２１が釣糸巻取位置でロ−タ２が逆回転されて釣糸１８が繰り出される状態で、第１案内部１６と第２案内部１７の間の釣糸１８に手の指を当ててリ−ル操作を行ってもよい。
【００１６】
前記のように魚釣用リ−ルが構成されると、スプ−ル３から放出されて収束案内される釣糸１８を放出操作時に保持した手の指で容易に接触操作できるから、所定のポイントへ向けて放出された釣糸１８に対して容易にブレ−キ操作できるので、一連の釣り操作中で放出距離の微調節が確実に行えて微妙なキャスティング操作性が向上し、良好な釣果も得られる。
又、釣糸巻取り操作時（待機時）においても直接釣糸１８に触れられるため、微妙な魚信のキャッチも可能となる。
第１案内部１６と第２案内部１７に釣糸１８が挿通されていると、釣糸放出時の釣糸変動の少ない案内部間において指先で接触操作できるので、安定した微妙なブレ−キ操作が行える。
更に、切換部材４の作動部４ｃで他方のベ−ル支持部材２１を釣糸放出位置から釣糸巻取位置に反転させることが出来る。
【００１７】
図７から図９は第２実施例で魚釣用リ−ルをクロ−ズドフェ−スリ−ルで述べると、図７はクロ−ズドフェ−スリ−ルの釣糸放出状態の断面側面図、図８はクロ−ズドフェ−スリ−ルの釣糸放出状態の拡大断面平面図と（ａ）釣糸案内部材の一部拡大断面平面図と（ｂ）ピックアップ部材の一部拡大断面平面図、図９はクロ−ズドフェ−スリ−ルの巻取状態の要部断面側面図である。
【００１８】
クロ−ズドフェ−スリ−ルＢはリ―ル本体１′の円筒部１ｄ外周の段部に椀状のフロントカバ―５が螺合等で着脱可能に装着されている。
リ―ル本体１′の後側筐部１ｅと側部カバ―２７でハンドル１０が取り付けられたハンドル軸２８が回転自在に支承され、リ―ル本体１′の上側には脚部１ａが一体に設けられている。
フロントカバ―５の前面５ａ中央部には段部５ｂを有する大径の透孔５ｃが穿設されて段部５ｂにころがり軸受２９の外輪が接着剤で固定されている。
ころがり軸受２９の内輪には釣糸案内部材６が接着剤で固定されている。
釣糸案内部材６の中心には釣糸案内孔６ａが形成され、前面に鍔部６ｂが形成されている。
【００１９】
前記円筒部１ｄの中心には中空軸筒７の一端が螺着されて中空軸筒７の軸芯中空部７ａに回転軸８が回転自在にかつ前後に摺動自在に嵌合されている。
中空軸筒７の先端外周には偏心カム７ｂが形成され、中空軸筒７の外周にはスプ―ル軸筒９が周方向に回り止めされて前後に摺動自在に嵌合されている。
回転軸８は中空軸筒７の中空部７ａに摺動自在に嵌合される軸部８ａと、軸部８ａの先端のネジ部８ｂと、軸部８ａの後側の外周が回り止め形成された軸部８ｃと、軸部８ｃの後端の周溝８ｄで形成されている。
【００２０】
前記スプ―ル軸筒９の外周にはスプ―ル３′が嵌合されると共にスプ―ル３′の前面にはライニングワッシャ―３０が嵌合摺接されてＥリング３１でスプ―ル３′はスプ―ル軸筒９から抜け止めされ、スプ―ル３′の後面にはライニングワッシャ―３２とバネ板状制動板３３が嵌合摺接されている。
前記スプ―ル軸筒９の後側にはカップ状の円盤９ａが一体に形成されて図７のようにナット３４が固定され、ナット３４に螺合されたビス３５の先端は前記制動板３３に当接され、ビス３５の後端はリ―ル本体１′の後面に取り付けられたドラグ調整ノブ３６の回り止め穴に前後に摺動自在に嵌合されている。
前記スプ―ル軸筒９の円盤９ａの後面には図８のようにオシレ―ト用突起９ｂとガイドバ―９ｃが突設されて後側筐部１ｅ内に突出されている。
【００２１】
前記回転軸８の前端のネジ部８ｂには糸取りロ―タ２′が回り止め嵌合されてナット３７で固定されている。
ロ―タ２′の内側底面には保持部材３８が固定されて保持部材３８にピックアップ部材Ｃのカム部材３９が放射方向に摺動自在に保持され、ピックアップ部材Ｃの上端の回転ロ−ラ−４０はロ―タ２′の透孔２ｆに上下に摺動可能に挿通され、カム部材３９は発条４１で下端３９ａが中空軸筒７の外周又は偏心カム７ｂの外周に押圧付勢されている。
前記ロ―タ２′の前面にはガ−ド部材４２が前記フロントカバ―５の内側と対向するように固定されている。
【００２２】
ピックアップ部材Ｃはカム部材３９と、カム部材３９の上端の鍔部３９ｂに載せられた発条４１と、カム部材３９の上端の軸部３９ｃに載せられてビス４３で固定されたボ−ル軸受４４の内輪と、ボ−ル軸受４４の外輪に固定された回転ロ−ラ−４０とで構成されている。
スプ―ル３′に巻回された釣糸１８は、ロ―タ２′の外周から突出したピックアップ部材Ｃの回転ロ−ラ−４０にガイドされて釣糸案内部材６の釣糸案内孔６ａに挿通された後外部に引き出される。
【００２３】
前記円筒部１ｄから後側筐部１ｅ内に突出した回転軸８の軸部８ｃにはピニオン４５が回転軸８に対して摺動のみ可能に嵌合されてリリ―スバネ４６で押圧付勢され、リリ―スバネ４６は周溝８ｄに係止されたＥリング４７で抜け止めされている。
ピニオン４５はハンドル軸２８に固定された駆動歯車４８に噛合されてハンドル１０で回転される。
前記駆動歯車４８の裏面には偏心カム４８ａが形成されてオシレ―ト板４９が嵌合され、オシレ―ト板４９のピン５０は前記スプ―ル軸筒９の円盤９ａから突設されたオシレ―ト用突起９ｂの孔に嵌合されている。
前記後側筐部１ｅと側部カバ―２７には切換部材４′がネジ筒軸１５で回動自在に取り付けられて発条１４で図７で反時計方向に付勢されている。
【００２４】
切換部材４′はネジ筒軸１５が軸承される軸承部４ａと、前方上方に突出されて釣竿１１を握った手の指で牽引自在に配置された操作部４ｂと、リ−ル本体１′内に延びた押動部４ｅとで形成されている。
発条１４で押動部４ｅは前記回転軸８の軸部８ｃ後端に当接自在に臨まされている。
操作部４ｂの下面には釣糸ガイド環からなる第１案内部１６と第２案内部１７が前後方向に固定され、第１案内部１６と第２案内部１７の間に凹部からなる糸当て部４ｄが形成されている。
第１案内部１６と第２案内部１７は夫々うず巻き状に形成されている。
【００２５】
前記クロ−ズドフェ−スリ−ルのキャスト動作では、スプ―ル３′に巻回された釣糸１８が放出される時、図７で切換部材４′の操作部４ｂが引き上げられると、押動部４ｅで回転軸８の軸部８ｃ後端８ｅがリリ―スバネ４６に抗して押し込まれ、回転軸８とロ―タ２′が前進されてピックアップ部材Ｃのカム部材３９の下端３９ａが発条４１で中空軸筒７の外周から偏心カム７ｂ上に落下されてピックアップ部材Ｃの上端の回転ロ−ラ−４０が図７のように、ロ―タ２′の外周面から引き込まれるとスプ―ル３′に巻回された釣糸１８が自由に繰り出される。
スプ−ル３′に巻回された釣糸１８が切換部材４′の釣糸ガイド環からなる第１案内部１６と第２案内部１７に挿通された状態で釣竿１１を握った手の指が第１案内部１６と第２案内部１７の間の釣糸１８に当接されて釣糸１８が放出される。
【００２６】
手の指が釣糸１８に当接された状態で釣糸１８が放出されると、所定のポイントへ向けて放出された釣糸１８に対してブレ−キ操作できる。
【００２７】
前記クロ−ズドフェ−スリ−ルの他の動作は、釣糸１８がスプ―ル３′に巻回される方向にハンドル１０が回転されると、駆動歯車４８とピニオン４５を介して回転軸８とロ―タ２′が回転されて偏心カム７ｂの上にピックアップ部材Ｃのカム部材３９の下端３９ａが係合されている時この係合が解除され、下端３９ａは中空軸筒７の外周に押し上げられてピックアップ部材Ｃの上端の回転ロ−ラ−３９は発条４１に抗してロ−タ２′の外周面から突出してガイドとなって図９となり、釣糸１８が前後にオシレ―トされるスプ―ル３′に巻回される。
この時釣糸１８は釣糸案内部材６の釣糸案内孔６ａに挿通されて外部に引き出され、釣糸案内部材６はころがり軸受２９で回転自在に支持されているので、釣糸１８に掛かる力が釣糸案内孔４３ａの縁に掛かるから、ロ−タ２′と回転ロ−ラ−４０の回転に応じて釣糸案内孔６ａから引き出される釣糸１８の位置が回転方向に変位され、同時に釣糸１８と釣糸案内孔６ａの内周面との摺接で釣糸案内部材６が回転される。
【００２８】
前記キャスト動作で、釣糸の放出が係止される時は、ロ−タ２′の前面のガ−ド部材４２がフロントカバ―５の内側に押し当たるまで切換部材４′が引き上げられる。
この操作で釣糸１８が繰り出される力でスプ―ル３′とロ−タ２′が回転する時、ロ−タ２′の回転は係止されると共に、釣糸１８はガ−ド部材４２とフロントカバ―５の内側に挾まれて繰り出しが係止される。
【００２９】
前記のように魚釣用リ−ルが構成されると、スプ−ル３′から放出されて収束案内される釣糸１８を放出操作時に保持した手の指で容易に接触操作できるから、所定のポイントへ向けて放出された釣糸１８に対して容易にブレ−キ操作できるので、一連の釣り操作中で放出距離の微調節が確実に行えて微妙なキャスティング操作性が向上し、良好な釣果も得られる。
又、釣糸巻取り操作時（待機時）においても直接釣糸１８に触れられるため、微妙な魚信のキャッチも可能となる。
第１案内部１６と第２案内部１７に釣糸１８が挿通されていると、釣糸放出時の釣糸変動の少ない案内部間において指先で接触操作できるので、安定した微妙なブレ−キ操作が行える。
更に、切換部材４′の押動部４ｅで回転軸８の軸部８ｃ後端を押圧することでスプ―ル３′に巻回された釣糸１８を自由に繰り出したり、釣糸１８をガ−ド部材４２とフロントカバ―５の内側に挾み込んで繰り出しを係止することができる。
【００３０】
前記説明で切換部材４、４′の操作部４ｂの下面には釣糸ガイド環からなる案内部を１個と２個設けるように述べたが、４個以上設けてもよい。
案内部の形状は他の形状としてもよい。
【００３１】
【発明の効果】
本発明は、以上説明したような形態で実施され、以下に記載されるような効果を奏する。
【００３２】
請求項１により、スプ−ルから放出されて収束案内される釣糸を放出操作時に保持した手の指で容易に接触操作できるから、所定のポイントへ向けて放出された釣糸に対して容易にブレ−キ操作できるので、一連の釣り操作中で放出距離の微調節が確実に行えて微妙なキャスティング操作性が向上し、良好な釣果も得られる。
又、釣糸巻取り操作時（待機時）においても直接釣糸に触れられるため、微妙な魚信のキャッチも可能となる。
第１案内部と第２案内部に釣糸が挿通されていると、釣糸放出時の釣糸変動の少ない案内部間において指先で接触操作できるので、安定した微妙なブレ−キ操作が行える。
【００３３】
更に、切換部材の作動部で他方のベ−ル支持部材を釣糸放出位置から釣糸巻取位置に反転させることが出来る。
切換部材の押動部で回転軸の軸部後端を押圧することでスプ―ルに巻回された釣糸を自由に繰り出したり、釣糸をガ−ド部材とフロントカバ―の内側に挾み込んで繰り出しを係止することができる。
【図面の簡単な説明】
【図１】第１実施例で、釣糸の放出が指でコントロ−ルされる魚釣用スピニングリ−ルの一側一部破截断面側面図と一部拡大断面側面図である。
【図２】同魚釣用スピニングリ−ルの他側側面図である。
【図３】同切換部材の要部正面図である。
【図４】同ロ−タの一方の支持腕の一部断面平面図である。
【図５】同釣糸巻き上げ状態のロ−タの他方の支持腕の（ａ）一部断面平面図と（ｂ）一部断面背面図である。
【図６】同釣糸放出状態のロ−タの他方の支持腕の（ａ）一部断面平面図と（ｂ）一部断面背面図である。
【図７】第２実施例で、クロ−ズドフェ−スリ−ルの釣糸放出状態の断面側面図である。
【図８】同クロ−ズドフェ−スリ−ルの釣糸放出状態の拡大断面平面図と（ａ）釣糸案内部材の一部拡大断面平面図と（ｂ）ピックアップ部材の一部拡大断面平面図である。
【図９】同クロ−ズドフェ−スリ−ルの巻取状態の要部断面側面図である。
【符号の説明】
Ａ、Ｂ  魚釣用リ−ル（魚釣用スピニングリ−ル、クロ−ズドフェ−スリ−ル）
１、１′  リ−ル本体
３、３′  スプ―ル
４、４′  切換部材
４ｂ  操作部
１５  ハンドル
１６  第１案内部
１７  第２案内部
１８  釣糸
【図１】
0003777326.tif 000002
【図２】
0003777326.tif 000003
【図３】
0003777326.tif 000004
【図４】
0003777326.tif 000005
【図５】
0003777326.tif 000006
【図６】
0003777326.tif 000007
【図７】
0003777326.tif 000008
【図８】
0003777326.tif 000009
【図９】
0003777326.tif 000010